(57)【特許請求の範囲】
【請求項１】
板状のベース材の一方面を絵柄が描かれた絵柄形成面とし、この絵柄形成面上に、透視可能な主接着層、この主接着層の周辺部に設けた帯状の周辺接着層、この周辺接着層の上面を覆う剥離テープ、前記主接着層と周囲の剥離テープを覆い主接着層に接する面に離型処理がされている透視可能なカバーシートの順に積層されて形成されたことを特徴とする糸を用いた絵画用カンバス。
【請求項２】
板状のベース材の一方面に、接着層、剥離紙の順に積層して形成したベース部と、裏面を剥離紙で覆われた両面接着可能で透視可能な主接着層、この主接着層の表面周辺部に設けた帯状の周辺接着層、この周辺接着層の上面を覆う剥離テープ、前記主接着層と周囲の剥離テープを覆い主接着層に接する面に離型処理がされている透視可能なカバーシートの順に積層されて形成されたカバー部と、必要に応じて用意された、表面に絵柄が描かれた下絵紙とからなることを特徴とする糸を用いた絵画用カンバス。
【発明の詳細な説明】
【技術分野】
【０００１】
この発明は、糸を貼り付けることによって絵画等を仕上げる絵画用カンバスに関し、更に詳しくは、完成後の絵画等の傷みを防止できる絵画用カンバスを提供するものである。
【背景技術】
【０００２】
従来、種々ある絵画の制作方法の１つとして糸を使用したものがあり、糸を使用した技法としては、刺繍糸を用いて布に縫い込むいわゆる刺繍というのが一般的に行われているものである。
【０００３】
最近は、カンバスに着色された糸を接着して固定ゆくことで所定の図柄を表現していく手法が知られており、貼り付ける糸を複数色用意し、適宜選択してカンバスに貼り付けることで、カンバス上に絵画を表現することができる。
【０００４】
これら糸をカンバスに貼り付けるものとして、例えば、下絵上に接着材を設け、次いで接着材の上面に装飾材を貼着することで、初心者でも下絵を目して参考にしながら簡単に手芸ができる方法が提案されており、この装飾材には糸も含まれている（例えば、特許文献１参照）。
【０００５】
また、出願人は、特願２００７−２０７１３０にて、下絵の上に透視可能な接着層を設け、更にその接着層の上面に、下絵が確認可能な透明で接着層に対して剥離及び再貼着が何度でも可能なカバーシートで覆うことにより、流通段階での取り扱いの容易さ、絵画制作時には作業者の手や衣服、道具、ゴミ等が付着から接着層を守るようにした絵画用カンバスを提案した。
【０００６】
また、工芸品をカバーシートで覆うものとしては、例えば、ハガキ大の大きさの用紙に押し花を貼り付ける押花用ワンタッチ接着シートが提案されている（例えば、特許文献２参照）。
【特許文献１】特開昭５３−４０３５６号公報
【特許文献２】実用新案登録第３０４６１９４号公報
【発明の開示】
【発明が解決しようとする課題】
【０００７】
ところで、特願２００７−２０７１３０の絵画用カンバスは、カバーシートは絵画が完成した場合は通常は取り去ることになるが、その場合、完成品の絵画表面に糸が露出している状態となり、傷みや綻びが生じやすくなる。
【０００８】
大型の絵画用のカンバスであれば、完成した絵画を別途用意した透明ガラス入りの額縁等に入れれば糸の傷み等を防止できるが、そのために高価な額縁が別途必要となりコストが高くなる。
【０００９】
また、カンバスが写真立てやハガキサイズのような小さなサイズでは、そのまま机の上に立てかけて手元に置くことが多く、手が触れたり机の上の他の物にぶつかったりして糸の傷み等がより生じやすくなる。
【００１０】
そこで、特許文献２の押し花を挟んで設けるワンタッチシートのように、完成した絵画の上に透明シートを貼り付けて絵画を構成する糸を保護することも考えられ、作業時に用いていたカバーシートを透明とし、そのまま絵画表面の糸の保護カバーにすればよいが、既に大部分で接着層とカバーシート間に糸が介在しているので、そのままではカバーシートが剥がれやすくなっている。
【００１１】
また、特許文献２のワンタッチシートでは、押し花を接着した上からシートを貼るのでシートの着脱は一度きりでよいのであるが、糸を用いた絵画用カンバスでは糸を貼り付ける作業は長時間を要し、完成するまでに作業の中断等によりカバーシート材の貼り付けと剥がしは頻繁に行われており、着脱の繰り返しで接着面の接着力の低下により、その部分からカバーシートが剥がれ易くなっている。
【００１２】
そこで、この発明の課題は、糸を用いた絵画用カンバスにおいて、絵画表面の糸等の装飾材を保護することで、手元に置いても完成後の絵画の糸の傷みや綻びが生じることがなく、耐久性のある完成品となる絵画用カンバスを提供することを課題とする。
【課題を解決するための手段】
【００１３】
上記のような課題を解決するため、請求項１の発明は、板状のベース材の一方面を絵柄が描かれた絵柄形成面とし、この絵柄形成面上に、透視可能な主接着層、この主接着層の周辺部に設けた帯状の周辺接着層、この周辺接着層の上面を覆う剥離テープ、前記主接着層と周囲の剥離テープを覆い主接着層に接する面に離型処理がされている透視可能なカバーシートの順に積層されて形成された構成を採用した絵画用カンバスである。
【００１４】
この絵画用カンバスは、糸貼り作業中の主接着層の粘着面の保護等のために用いたカバーシートを、絵画完成後は、剥離テープを取り去った周辺接着層にカバーシートの周辺部を接着固定させて、完成後の絵画を構成する糸の保護を図ったものである。
【００１５】
ここで、絵柄形成面としては、ベース材の一方面に絵柄が描かれた下絵紙を接着層を介して貼り付けるか、又は、ベース材の一方面に絵柄を印刷、現像等の手法で描くことなどで形成される。
【００１６】
透視可能な主接着層としては、絵柄形成面上に透明又は半透明の接着剤を塗布したり、シート状の透明又は半透明な両面接着シートを重ねることにより形成される。
【００１７】
帯状の周辺接着層としては、例えば帯状の両面接着テープ等を主接着シートの周辺に沿って貼り付ける等により形成され、この周辺接着層の上面の接着面は当初は剥離テープにて覆われている。
【００１８】
透視可能なカバーシートとしては、例えば透明又は半透明な合成樹脂製シートを用い、主接着層に対して何度でも仮接着及び剥離が自在となるよう、主接着層に接する裏面側に離型処理を施してある。一方、カバーシート表面側は離型処理を施さないようにしておけば、絵画完成後に、透視可能なカバーシートを裏向きにして離型処理がされていない表面側を周辺接着層に接着させることでカバーシートを固定させることができる。
【００１９】
その他の方法として、カバーシートが周辺接着層に対しては接着を行うように、周辺接着層の接着力を主接着層より強力にしたり、又は、カバーシートの周辺接着層と接する周辺部のみ離型処理を施さないようにしてもよい。
【００２０】
請求項２の発明は、板状のベース材の一方面に、接着層、剥離紙の順に積層して形成したベース部と、裏面を剥離紙で覆われた両面接着可能で透視可能な主接着層、この主接着層の表面周辺部に設けた帯状の周辺接着層、この周辺接着層の上面を覆う剥離テープ、前記主接着層と周囲の剥離テープを覆い主接着層に接する面に離型処理がされている透視可能なカバーシートの順に積層されて形成されたカバー部と、必要に応じて用意された、表面に絵柄が描かれた下絵紙とからなる構成を採用した絵画用カンバスである。
【００２１】
この請求項２の発明は、ベース部の剥離紙とカバー部の剥離紙を剥がして現れた両接着層間に、下絵紙を絵柄が描かれた面をカバー部側にして挟むことで、請求項１と同様の絵画用カンバスが形成されるが、下絵紙としては、予め用意されていた写真やイラストを用いる他、購買者が写真やイラストが描かれた印刷物、写真が現像された印画紙、手書き絵画、コピー済用紙等、適宜なものを選択して用いることができる。
【発明の効果】
【００２２】
以上のように、請求項１の発明の絵画用カンバスによれば、下絵を目視しながら下絵に倣って糸の貼り付け作業を行なえ、糸貼り作業を行う部分のみカバーシートを主接着層から剥がしてゆくようにすれば、未制作部分の主接着層はカバーシートにより保護されたままになり、作業者の手や衣服などが接着してしまうことがなく、休憩等で制作を中断する時には接着層の粘着面をカバーシートにより再度覆うことで、まだ糸を貼っていない露出した主接着層を保護することができる。
【００２３】
また、カバーシート周辺部は周辺接着層を覆う剥離テープに接しており接着していないので、カバーシートを剥がす際に端部を指でつまんでの取り外しが容易となり、再接着の際もカバーシートの端部を持つ手の指が主接着層に接着してしまうことが無く、利便性が向上する。
【００２４】
更に、絵画の完成後はカバーシートの周辺部を剥離テープを剥がした後の露出した周辺接着層に貼り付けることでカバーシートが固定され、糸からなる絵画の部分全体がカバーシートで覆われて保護できるようになる。
【００２５】
また、カバーシートの周辺部が周辺接着層の厚み分だけ浮き上がっているので、糸による絵画が形成された内側部分との厚みとの段差が少なく、カバーシートがほぼ水平状態で維持することができる。
【００２６】
次に、請求項２の糸を用いた絵画用カンバスによれば、請求項１と同じ効果が得られると共に、別体となっていた下絵紙として任意のものを選ぶことができるので、個人の嗜好に合わせた絵画や写真、又は個人的な写真等を下絵紙としても用いることができるようになる。
【発明を実施するための最良の形態】
【００２７】
図１は、この発明の絵画用カンバス１の断面図であり、板状のベース材２の上面全面に、接着層３、下絵紙４、透視可能な主接着層５の順に積層された状態となっている。
【００２８】
透視可能な主接着層５の周縁部には、帯状の周辺接着層６が接着固定され、この周辺接着層６の上面に同じ帯状の剥離テープ７が重ねられている。そして、主接着層５及び剥離テープ７の上面全体を覆うカバーシート８が重ねられ主接着層５の接着力により仮固定されている。
【００２９】
ベース材２は、板状体で、その材料は特に限定されるものではなく、発泡ポリスチレン、厚紙、布、木、金属、プラスチック等やこれらの組み合わせが挙げられ、その厚みは特に限定されず、また若干の曲がりを許容して復元する程度の柔軟性があってもよい。
【００３０】
接着層３は、このベース材２のほぼ全面を覆うように設けられ、接着剤を塗布して形成しても、シート状の両面接着シートを貼り付けることにより構成したものでもよい。
【００３１】
下絵紙４は、接着層３によりベース材２に貼り付けられており、透視可能な主接着層５側が重ねられる表面側が、下絵となる絵画、写真、イラスト、又はデザイン画などの模様からなる絵柄１０がカラーで現された絵柄形成面となり、この表現方法は印刷によるのが一般的であるが、写真印画紙に現像により写真が現されたものや、その他周知技術により模様が描かれたものであってもよい。
【００３２】
なお、この実施形態では、下絵が描かれた下絵紙４をベース材２に接着層３を介して接着固定することでベース材２の上面側に絵柄形成面を形成したが、ベース材２の材質によっては、接着層３を用いずにベース材２の上面に直接下絵を印刷等により描いて絵柄１０を形成するようにしてもよい。
【００３３】
主接着層５は、接着層３と同様に両面に接着効果を有するものであるが、下絵紙４の表面に現された模様を反対側から視認できるように、全体が透明或いは半透明のもので透視可能なものであり、例えば、透明・半透明な接着剤を塗布して形成したり、透明な両面接着シートを貼り付けることにより構成したものが用いられる。
【００３４】
主接着層５の周辺部に沿って、周辺接着層６と剥離テープ７の積層構造の帯状のテープが貼り付けられており、周辺接着層６は、両面接着テープ等を用いており、通常状態では上面を剥離テープ７で覆われていることにより接着面は露出しないようになっている。
【００３５】
帯状の周辺接着層６と剥離テープ７の幅は、特に限定されるものではないが、ベース材２の大きさに合わせて適宜幅を選べばよい。例えば絵画サイズで幅約５ｍｍ〜数ｃｍ、ハガキサイズ程度の小型のもので３〜５ｍｍ程度とすればよい。
【００３６】
周辺接着層６を形成する両面接着テープ等の厚みも特に限定されないが、使用される糸の厚みを考慮し、糸と同じ程度の厚みとしておけば、後述する最後にカバーシート８を接着する際、糸の部分と段差が生じなく綺麗にカバーシート８を貼り付けることができる。
【００３７】
カバーシート８は、可撓性及び透明性を有する材質からなる例えば各種合成樹脂製フィルムからなり、透視可能な主接着層５に接着して仮固定される下面側に離型処理を行っていることにより、この主接着層５に対して接着しているが比較的小さな力でこの主接着層５から剥がすことができ、また、主接着層５に何度でも再接着させることが可能となっている。
【００３８】
一方、このカバーシート８は、絵画完成後は、剥離テープ７を外した周辺接着層６と接着して固定する。その原理は、カバーシート８の主接着層５に接する表面側には離型処理がされているが反対の裏面側は離型処理がされてないので、絵画完成後は、カバーシート８を裏向きにして離型処理が施されていない側を周辺接着層６に接着固定させるようにする。
【００３９】
その他、離型処理を施したカバーシート８に対して、周辺接着層６の粘着力を主接着層５より強力にしたり、又は、カバーシート８の初期段階で主接着層５に接する部分のみに離型処理を行い、周辺部の剥離テープ７に接する部分には離型処理を行わないようにしておいて、主接着層５と周辺接着層６の粘着力が同一であってもカバーシート８は剥離テープ７を取り去った後の周辺接着層６に接着固定されるようにしてもよい。
【００４０】
なお、周辺接着層６の上面を覆っている剥離テープ７の長さ方向の端部を周辺接着層６を超えてベース材２より若干外側に突出させておけば、剥離テープ７を剥がす際にこの突出部分を指でつまんで簡単に剥がすことができる。
【００４１】
図２乃至図５は、この発明のカンバス１を用いた絵画の制作状況を示すもので、まず、カバーシート８を、その端部の剥離テープ７の上面に載っていて接着していない部分を摘んで捲り返すようにして主接着層５から剥がし、この主接着層５の表面に、透視された下絵紙４に描かれた絵柄１０に倣って選んだ糸９を貼り付けてゆく（図２）。
【００４２】
糸９としては、着色された糸であれば特に限定されないが、絵画として使用する際のその表面光沢の美しさから絹糸を用いるのが好ましく、また、透視可能な主接着層５を通じて視認される下絵紙４の絵柄１０の色彩に応じた色彩の糸９を貼り付けて絵画的表現を求めるので、例えば１２〜２４色程度を色彩の糸を用意しておくことが好ましい。
【００４３】
この作業時、端から糸９を貼る作業を行う部分に合わせて順次カバーシート８を剥がしてゆくようにすれば、未制作部分の主接着層５はカバーシート８により保護されたままになり、作業者の手や衣服などに接着して作業が煩わしくなるといったことがない。
【００４４】
また、糸貼り作業を中断する際は、再度カバーシート８を接着層５に貼り戻すことにより、接着層５の接着面を常に保護状態に維持することができる（図３）。
【００４５】
糸貼り作業が終了し、絵画が完成すれば、図４に示すように、カバーシート８の周囲４辺のうちの１辺を剥がし、その部分の剥離テープ７を剥がしてゆき、周辺接着層６を露出させる（図４）。
【００４６】
更に、この作業を繰り返して四辺の全て剥離テープ７を取り去った後、剥がしたカバーシート８を裏返しにしてから重ねて、カバーシート８の離型処理がされていない面を露出した周辺接着層６に接着してカバーシート８を固定する（図５）。
【００４７】
なお、周辺接着層６を離型処理を行ったカバーシート８も接着するような強力な接着力を持たせたり、カバーシート８の周辺部に離型処理を行わないようにした場合は、カバーシート８を裏返さずに、カバーシート８の周辺部を周辺接着層６に貼り付けることで、カバーシート８を接着固定する。
【００４８】
完成した絵画用カンバス１は、絵画を構成する糸９の部分の表面が透明なカバーシート８で覆われているので、糸９に物が触れて糸を痛めたり綻ばしたりすることがなく、表面ガラス製の額縁等に入れずにそのまま鑑賞することができる。
【００４９】
また、絵画用カンバス１がハガキサイズ程度の小型のものは、机の上に立てかけて使用することが多く、表面が他の物に触れやすいが、カバーシート８で覆われているので糸に傷みが生じにくい。
【００５０】
また、絵画作成部分は糸９の厚みが生じており、絵画作成部分の余白となる糸９が無い周辺部分と段差が生じ、そのままではカバーシート８が凹凸状になるが、この絵画用カンバスでは、周辺部に周辺接着層６の厚みが生じているので、糸９の厚み分との差を吸収し、図５のようにカバーシート８が水平状態を保って綺麗に貼り付けられる。
【００５１】
図６は、この発明の他の実施形態の絵画用カンバス１１を示す断面図であり、板状のベース材１２の図示上面に、接着層１３、剥離紙２０の順に積層したベース部２１を形成する。
【００５２】
このベース部２１に用いられるベース材１２及び接着層１３は、先の実施形態のベース材２及び接着層３と同様であり、その機能、作用は説明を省略する。
【００５３】
裏面を剥離紙２２で覆われた両面接着可能で透視可能な主接着層１５、この主接着層１５の表面周辺部に設けた帯状の周辺接着層１６、この周辺接着層１６の上面を覆う剥離テープ１７、前記主接着層１５と周囲の剥離テープ１７を覆う透視可能なカバーシート１８の順に積層されたカバー部２３を形成する。
【００５４】
このカバー部２３に用いられる主接着層１５、周辺接着層１６、剥離テープ１７、及びカバーシート１８は、先の実施形態主接着層５、周辺接着層６、剥離テープ７、及びカバーシート８と同様であり、その機能、作用は説明を省略する。
【００５５】
また、これらベース部２１とカバー部２３とは別に下絵紙１４が必要に応じて用意され、この下絵紙１４も、先の実施形態の下絵紙４と同様であり、その機能、作用は説明を省略する。
【００５６】
これらベース部２１、カバー部２３、及び下絵紙１４を用いて絵画用カンバス１１を完成する方法を説明すれば、まずベース部２１の剥離紙２０を剥がして接着層１３を露出させ、この接着層１３に下絵紙１４の絵柄１０が形成された面の反対側を接着する。
【００５７】
次に、カバー部２３の剥離紙２２を剥がして主接着層１５を露出させ、この主接着層１５の接着面を下絵紙１４の絵柄１０が形成された面に重ねて接着する。
【００５８】
すると、板状のベース材１２の上に、接着層１３、下絵紙１４、透視可能な接着層１５、周辺部の周辺接着層１６と剥離テープ１７、及びカバーシート１６の順に積層された状態の絵画用カンバス１１となり、図１で示したベース材２、接着層３、下絵紙４、透視可能な接着層５、周辺部の周辺接着層６と剥離テープ７、及びカバーシート８の順に積層された状態の絵画用カンバス１と同様の構成となり、図２乃至図５で示したのと同様の手法により糸９を貼り付けて絵画作成をすることができる。
【００５９】
なお、この実施形態の場合、ベース部２１、カバー部２３、及び種類の異なる絵柄の下絵紙１４の複数枚を組み合わせて流通及び販売し、購買者が複数枚の下絵紙１４から適宜気に入った絵柄の下絵紙１４を選択してベース部２１及びカバー部２３に貼り付けることで絵画用カンバス１１を形成することができる。
【００６０】
また、下絵紙１４としては、予めベース部２１やカバー部２３とセットして販売されていたものを用いずとも、購買者が別途用意したものを下絵紙１４として用いれば、自由に絵柄を選ぶことができる。
【００６１】
下絵紙１４としては、例えば、写真やイラストが描かれた印刷物、写真が現像された印画紙、手書き絵画、コピー済用紙など薄いシート状のものであれば種々のものが該当するが、特に購買者が所有している個人的な写真を、最近普及したインクジェットプリンターにより低コストで印刷した用紙等を用いることで、個人の思い入れのあるものや、嗜好に合った絵画を制作するがことができるようになる。
【図面の簡単な説明】
【００６２】
【図１】この発明の絵画用カンバスの一実施形態を示す断面図である。
【図２】この発明の絵画用カンバスを用いた絵画の制作過程を示す一部拡大断面図である。
【図３】この発明の絵画用カンバスを用いた絵画の制作過程を示す一部拡大断面図である。
【図４】この発明の絵画用カンバスを用いた絵画の制作過程を示す斜視図である。
【図５】この発明の絵画用カンバスを値板絵画の完成状態を示す断面図である。
【図６】この発明の絵画用カンバスの他の実施形態を示す断面図である。
【符号の説明】
【００６３】
１，１１  絵画用カンバス
２，１２  ベース材
３，１３  接着層
４，１４  下絵紙
５，１５  主接着層
６，１６  周辺接着層
７，１７  剥離テープ
８，１８  カバーシート
９  糸
１０  絵柄
２１  ベース部
２３  カバー部
【図１】
0005189398.tif 000002
【図２】
0005189398.tif 000003
【図３】
0005189398.tif 000004
【図４】
0005189398.tif 000005
【図５】
0005189398.tif 000006
【図６】
0005189398.tif 000007